(57)【要約】【課題】より効率的に便を保存溶液に懸濁させることが可能な採便容器を提供する。【解決手段】採便容器の採便棒は、便を捕捉するための凹部を有する捕捉部が先端に形成されている。採便容器の容器本体は、捕捉部で捕捉された便が懸濁される保存溶液が収容される液収容部を有している。保存溶液中には、複数の第１ビーズと複数の第２ビーズが混入される。第１ビーズの粒径は、凹部の幅以下である。すなわち、第１ビーズは、凹部に入るサイズである。一方、第２ビーズの粒径は、凹部の幅よりも大きい。すなわち、第２ビーズは、凹部よりも大きいサイズである。第１ビーズによって、凹部から便が効率的に掻き出され、第２ビーズによって、便が保存溶液中に効率的に拡散される。【選択図】図３
2020051866.tif 000002
【特許請求の範囲】
【請求項１】
便を捕捉するための凹部を有する捕捉部が先端に形成された採便棒と、
前記採便棒が取り付けられる容器本体と、
前記容器本体に設けられた液収容部であり、便が懸濁される保存溶液が収容される液収容部と、
前記液収容部において前記保存溶液中に混入される複数の第１ビーズであり、前記凹部に入るサイズの複数の第１ビーズと、
前記液収容部において前記第１ビーズに加えて前記保存溶液中に混入される複数の第２ビーズであり、前記凹部よりも大きいサイズの複数の第２ビーズと、
を備える採便容器。
【請求項２】
前記捕捉部は複数の突状部を有し、前記凹部は隣り合う前記突状部同士の間に形成される請求項１に記載の採便容器。
【請求項３】
前記突状部は、間を前記凹部で隔てられた凸部で構成される請求項２に記載の採便容器。
【請求項４】
前記突状部は、線状のブラシで構成される請求項２に記載の採便容器。
【請求項５】
前記第１ビーズおよび前記第２ビーズは、前記保存溶液よりも比重が大きい請求項１ないし４のいずれか１項に記載の採便容器。
【請求項６】
前記第１ビーズには、比重が異なる少なくとも２種類がある請求項５に記載の採便容器。
【請求項７】
前記第１ビーズおよび前記第２ビーズは、便と異なる色である請求項１ないし６のいずれか１項に記載の採便容器。
【請求項８】
前記第１ビーズおよび前記第２ビーズは、透明である請求項１ないし７のいずれか１項に記載の採便容器。
【請求項９】
前記第１ビーズおよび前記第２ビーズは、球状である請求項１ないし８のいずれか１項に記載の採便容器。
【発明の詳細な説明】
【技術分野】
【０００１】
本開示の技術は、採便容器に関する。
【背景技術】
【０００２】
大腸癌を発見するための便潜血検査に用いられる採便容器が知られている。特許文献１、２には、便を採取する採便棒と、採便棒が取り付けられる容器本体とを備える採便容器が記載されている。採便棒の先端には、手際よく便を捕捉するための凹部を有する捕捉部が形成されている。容器本体は、保存溶液が収容される液収容部を有する。保存溶液には捕捉部が浸かり、採取された便が懸濁される。
【０００３】
特許文献１、２に記載の採便容器では、液収容部において、保存溶液中にビーズが混入されている。ビーズは、その大きさが凹部よりも小さいか、凹部と同じである。このビーズにより、凹部の便が掻き出される。
【先行技術文献】
【特許文献】
【０００４】
【特許文献１】特開２００９−１５０８３０号公報
【特許文献２】特表２０１７−５２６３５５号公報
【発明の概要】
【発明が解決しようとする課題】
【０００５】
特許文献１、２に記載の採便容器では、前述のように、凹部に入るサイズのビーズにより、凹部の便を掻き出している。しかしながら、凹部の便を掻き出すだけでは、より効率的に便を保存溶液に懸濁させるには不十分であった。
【０００６】
なぜならば、第１に、便には、繊維質の硬い便といった難溶便があり、こうした難溶便は、たとえ凹部から掻き出されたとしても、保存溶液には懸濁しにくいためである。第２に、コストや便潜血検査の精度の兼ね合いから、液収容部は保存溶液で完全には満たされておらず、捕捉部の全体が保存溶液に常時浸かっている訳ではない。したがって、時間が経つにつれて凹部の便が硬くなり、難溶便化することがあるからである。
【０００７】
本開示の技術は、より効率的に便を保存溶液に懸濁させることが可能な採便容器を提供することを目的とする。
【課題を解決するための手段】
【０００８】
上記目的を達成するために、本開示の採便容器は、便を捕捉するための凹部を有する捕捉部が先端に形成された採便棒と、採便棒が取り付けられる容器本体と、容器本体に設けられた液収容部であり、便が懸濁される保存溶液が収容される液収容部と、液収容部において保存溶液中に混入される複数の第１ビーズであり、凹部に入るサイズの複数の第１ビーズと、液収容部において第１ビーズに加えて保存溶液中に混入される複数の第２ビーズであり、凹部よりも大きいサイズの複数の第２ビーズと、を備える。
【０００９】
捕捉部は複数の突状部を有し、凹部は隣り合う突状部同士の間に形成されることが好ましい。突状部は、間を凹部で隔てられた凸部で構成されることが好ましい。または、突状部は、線状のブラシで構成されることが好ましい。
【００１０】
第１ビーズおよび第２ビーズは、保存溶液よりも比重が大きいことが好ましい。また、第１ビーズには、比重が異なる少なくとも２種類があることが好ましい。
【００１１】
第１ビーズおよび第２ビーズは、便と異なる色であることが好ましい。
【００１２】
第１ビーズおよび第２ビーズは、透明であることが好ましい。
【００１３】
第１ビーズおよび第２ビーズは、球状であることが好ましい。
【発明の効果】
【００１４】
本開示の技術によれば、より効率的に便を保存溶液に懸濁させることが可能な採便容器を提供することができる。
【図面の簡単な説明】
【００１５】
【図１】採便容器を示す斜視図である。
【図２】採便容器の分解斜視図である。
【図３】捕捉部の拡大図である。
【図４】保存溶液、第１ビーズ、および第２ビーズの各々の比重を示す表である。
【図５】第１ビーズと第２ビーズの色を示す表である。
【図６】通路の拡大図である。
【図７】採便棒で便を採取している様子を示す図である。
【図８】捕捉部に便が捕捉された採便棒を容器本体に戻す様子を示す図である。
【図９】第１ビーズの作用を示す図であり、図９Ａは、凹部の便に第１ビーズが衝突する前、図９Ｂは、衝突した後をそれぞれ示す。
【図１０】第２ビーズの作用を示す図である。
【図１１】検査装置内における採便容器の扱いを示す図であり、図１１Ａは、液収容部の懸濁液をフィルタでろ過して液溜め部に移している様子、図１１Ｂは、液溜め部の懸濁液をノズルで吸引している様子をそれぞれ示す。
【図１２】第２実施形態の採便容器の分解斜視図である。
【図１３】第２実施形態の保存溶液、第１ビーズ、および第２ビーズの各々の比重を示す表である。
【図１４】第３実施形態の採便容器を示す斜視図である。
【図１５】第３実施形態の採便容器の液収容部の懸濁液をノズルで吸引している様子を示す図である。
【図１６】第４実施形態の採便棒を示す斜視図である。
【図１７】第４実施形態の採便棒の捕捉部の拡大図である。
【発明を実施するための形態】
【００１６】
［第１実施形態］
図１および図２において、採便容器２は、全体が細長で偏平なスティック状をしており、大腸癌を発見するための便潜血検査に用いられる。採便容器２は、便Ｓ（図７等参照）を採取する採便棒１０と、採便棒１０が着脱可能に取り付けられる容器本体１１とを備える。
【００１７】
採便棒１０は、色付きの樹脂で形成される。採便棒１０は、キャップ１５、棒本体１６、および捕捉部１７で構成される。キャップ１５は略直方体形状をしており、採便時に被検者により把持される（図７等参照）。棒本体１６は、キャップ１５から下方に延びる細長円筒形状をしている。捕捉部１７は、棒本体１６の先端に形成されている。
【００１８】
容器本体１１は、外側から内部を視認できるよう、透明な樹脂で形成される。透明な樹脂は、例えば、ＡＢＳ(Acrylonitrile-Butadiene-Styrene)樹脂、ポリエチレン、ポリプロピレン等である。
【００１９】
容器本体１１は、内部に、挿通部２０と、液収容部２１と、液溜め部２２と、通路２３と、フィルタ２４とを有する。挿通部２０の端部には、キャップ１５と圧入嵌合して、容器本体１１からの液漏れを防止する円筒形状の栓部２５が形成されている。また、挿通部２０内には、捕捉部１７を含む棒本体１６が挿通される挿通穴２６が形成されている。
【００２０】
挿通部２０と液収容部２１とを隔てる第１隔壁２７には、擦り切り部２８が設けられている。擦り切り部２８は円錐形状をした筒状体である。擦り切り部２８は、挿通穴２６から液収容部２１に向かって、徐々に捕捉部１７の外径と同程度まで内径が狭まっている。
【００２１】
液収容部２１には、保存溶液３０が収容される。採便棒１０が容器本体１１に取り付けられた図１に示す状態において、捕捉部１７の全体が液収容部２１に進入し、捕捉部１７の先端は液収容部２１の軸方向の略中央部分まで到達する。そして、液収容部２１は、半分程度が保存溶液３０で満たされる。このため、図１とは上下を逆にした状態においては、捕捉部１７の全体が保存溶液３０に浸かる（図１１Ａ参照）。
【００２２】
保存溶液３０には、複数の第１ビーズ３１Ａと複数の第２ビーズ３１Ｂとが混入され、捕捉部１７で捕捉された便Ｓが懸濁される。以下、便Ｓが懸濁された保存溶液３０を、懸濁液３０Ｓ（図９Ｂ等参照）と表現する。
【００２３】
通路２３は、液収容部２１と液溜め部２２とを隔てる第２隔壁３２に形成された貫通穴であり、液収容部２１と液溜め部２２とを繋いでいる。フィルタ２４は、この通路２３に、圧入嵌合等により収容される。このため、通路２３は、フィルタ２４の凸円柱状の外形状に倣って、内径が二段階に変化する階段形状となっている。
【００２４】
第２隔壁３２には、通路２３を塞ぐシール３３が、例えば熱溶着により貼り付けられる。シール３３は、金属あるいは樹脂の薄膜からなる。シール３３は、フィルタ２４で懸濁液３０Ｓをろ過する場合に破断される（図１１Ａ参照）。なお、シール３３は省略してもよい。
【００２５】
フィルタ２４は、懸濁液３０Ｓ中の、便潜血検査の妨げとなる不純物をろ過する。液溜め部２２は、フィルタ２４により不純物がろ過された懸濁液３０Ｓを溜める。
【００２６】
第２隔壁３２と対向する液溜め部２２の端部には、開口３４が形成されている。そして、この液溜め部２２の端部には、開口３４を塞ぐシール３５が貼り付けられる。シール３５は、シール３３と同じく、例えば熱溶着により貼り付けられ、金属あるいは樹脂の薄膜からなる。シール３５は、懸濁液３０Ｓを便潜血検査のために吸引するノズル６０により破断される（図１１Ｂ参照）。
【００２７】
採便容器２の組み立て手順は、まず、フィルタ２４を通路２３に収容して、シール３３で通路２３を塞ぎ、さらにシール３５で開口３４を塞ぐ。そして、挿通穴２６を介して、保存溶液３０、第１ビーズ３１Ａ、第２ビーズ３１Ｂを液収容部２１に流し込む。最後に、採便棒１０を容器本体１１に取り付けて組み立て終わる。
【００２８】
図３において、捕捉部１７は、手際よく便Ｓを捕捉するための凹部４０を有している。より詳しくは、捕捉部１７は、複数の突状部に相当する複数の凸部４１を有し、凹部４０は隣り合う凸部４１同士の間に形成されている。言い換えれば、凸部４１は、間を凹部４０で隔てられている。ここでは、凹部４０と凸部４１とは同幅で、かつ螺旋状に形成されている。もちろん、凹部４０と凸部４１とは同幅でなくてもよい。また、螺旋状ではなく、円環状に凹部４０と凸部４１を形成してもよい。
【００２９】
第１ビーズ３１Ａおよび第２ビーズ３１Ｂは、球状である。そして、第１ビーズ３１Ａの粒径ΦＡは、凹部４０の幅ＷＣＣ＿１以下である。すなわち、第１ビーズ３１Ａは、凹部４０に入るサイズである。一方、第２ビーズ３１Ｂの粒径ΦＢは、凹部４０の幅ＷＣＣ＿１よりも大きい。すなわち、第２ビーズ３１Ｂは、凹部４０よりも大きいサイズである。凹部４０の幅ＷＣＣ＿１は、数百μｍ（例えば４００μｍ）である。また、第１ビーズ３１Ａの粒径ΦＡは、幅ＷＣＣ＿１の０．３〜０．８倍程度の大きさ（幅ＷＣＣ＿１が４００μｍの場合、ΦＡは１２０μｍ〜３２０μｍ）、第２ビーズ３１Ｂの粒径ΦＢは、幅ＷＣＣ＿１の２倍以上の大きさ（幅ＷＣＣ＿１が４００μｍの場合、ΦＢは８００μｍ以上）である。
【００３０】
図４の表４５に示すように、保存溶液３０の比重を１とした場合、第１ビーズ３１Ａおよび第２ビーズ３１Ｂの比重は１．３８である。すなわち、第１ビーズ３１Ａおよび第２ビーズ３１Ｂは、保存溶液３０よりも比重が大きい。
【００３１】
保存溶液３０は水を主成分とする。このため比重は水と略同じである。表４５で示した比重１．３８は、ポリエチレンテレフタラート（ＰＥＴ；Polyethylene Terephthalate）の水に対する比重である。つまり、第１ビーズ３１Ａおよび第２ビーズ３１Ｂは、ＰＥＴで形成される。なお、第１ビーズ３１Ａおよび第２ビーズ３１Ｂは、保存溶液３０よりも比重が大きいものであればよく、ＰＥＴに限らない。ポリ塩化ビニル（ＰＶＣ；polyvinyl Chloride、比重１．２〜１．６）、アクリル樹脂（比重１．１９）、ナイロン（比重１．１２）、あるいはフェノール樹脂（比重１．３）等で、第１ビーズ３１Ａおよび第２ビーズ３１Ｂを形成してもよい。
【００３２】
また、図５の表４８に示すように、第１ビーズ３１Ａは、透明な水色であり、第２ビーズ３１Ｂは、透明な青色である。すなわち、第１ビーズ３１Ａおよび第２ビーズ３１Ｂは、便Ｓと異なる色で、かつ透明である。
【００３３】
図６に破線および符号５０で示すのは、フィルタ２４で捕集可能な粒子のうちの最大の径を有する粒子（以下、最大捕集粒子）である。第１ビーズ３１Ａの粒径ΦＡおよび第２ビーズ３１Ｂの粒径ΦＢは、この最大捕集粒子５０の粒径である最大捕集粒子径ΦＭＬよりも大きいことが好ましい。すなわち、第１ビーズ３１Ａおよび第２ビーズ３１Ｂは、フィルタ２４の最大捕集粒子５０よりも大きいサイズであることが好ましい。こうすることで、第１ビーズ３１Ａおよび第２ビーズ３１Ｂがフィルタ２４で捕集されて、第１ビーズ３１Ａおよび第２ビーズ３１Ｂによりフィルタ２４が目詰まりを起こし、フィルタ２４で懸濁液３０Ｓをろ過できなくなってしまう、という事態が防がれる。また、第１ビーズ３１Ａおよび第２ビーズ３１Ｂがフィルタ２４を通過して、液溜め部２２内の懸濁液３０Ｓに混入してしまう、という事態も防がれる。
【００３４】
液収容部２１において、フィルタ２４は、その外周面２４Ａと通路２３の内周面２３Ａとの間に隙間５１を設けた状態で、通路２３に収容される。第１ビーズ３１Ａの粒径ΦＡおよび第２ビーズ３１Ｂの粒径ΦＢは、この隙間５１の幅ＷＧよりも大きいことが好ましい。すなわち、第１ビーズ３１Ａおよび第２ビーズ３１Ｂは、隙間５１よりも大きいサイズであることが好ましい。こうすることで、第１ビーズ３１Ａおよび第２ビーズ３１Ｂが隙間５１に挟まり、第１ビーズ３１Ａおよび第２ビーズ３１Ｂの効力が失われてしまう、という事態が防がれる。
【００３５】
上記構成の採便容器２による採便から便潜血検査までに至る手順を、図７〜図１１を参照して説明する。まず、被検者は、便器に便Ｓを排泄する。そして、容器本体１１から採便棒１０を取り外し、図７に示すように、採便棒１０の捕捉部１７を便Ｓに接触させて、捕捉部１７で便Ｓの表面をなぞる。捕捉部１７は複数の凸部４１を有し、凹部４０は隣り合う凸部４１同士の間に形成されている。したがって、便潜血検査に必要十分な量の便Ｓを容易に捕捉することができる。
【００３６】
次に、被検者は、図８に示すように、捕捉部１７に便Ｓが捕捉された採便棒１０を容器本体１１に戻し、図１に示す状態とする。この際、捕捉部１７は、挿通穴２６を挿通されて擦り切り部２８を通過し、液収容部２１に至る。捕捉部１７が擦り切り部２８を通過することで、捕捉部１７に捕捉された便Ｓのうちの余分な便Ｓが除去される。
【００３７】
採便後の採便容器２は、便潜血検査を実施する検査施設に輸送される。採便容器２には、この輸送中に様々な方向から振動が加わり、これにより保存溶液３０も液収容部２１内で揺動する。この保存溶液３０の揺動に伴い、図９および図１０に示すように、第１ビーズ３１Ａおよび第２ビーズ３１Ｂは保存溶液３０中を動き回る。
【００３８】
図３で示したように、第１ビーズ３１Ａは、凹部４０に入るサイズである。したがって、第１ビーズ３１Ａは、図９において図９Ａに示すように、凹部４０内に進入し、凹部４０に捕捉された便Ｓに衝突する。そして、図９Ｂに示すように、凹部４０から便Ｓを剥ぎ落す。これにより、凹部４０から便Ｓが効率的に掻き出される。
【００３９】
一方、これも図３で示したように、第２ビーズ３１Ａは、凹部４０よりも大きいサイズである。したがって、第２ビーズ３１Ｂは、第１ビーズ３１Ａのように凹部４０には入り込まないが、図１０に示すように、保存溶液３０を攪拌する。これにより、第１ビーズ３１Ａによって凹部４０から剥ぎ落された便Ｓが保存溶液３０中に効率的に拡散され、便潜血検査に好適な懸濁液３０Ｓが生成される。
【００４０】
図５の表４８で示したように、第１ビーズ３１Ａおよび第２ビーズ３１Ｂは、便Ｓと異なる色である。したがって、便Ｓとの区別が容易につく。第１ビーズ３１Ａおよび第２ビーズ３１Ｂを便Ｓと見誤って、便Ｓが保存溶液３０に懸濁されていないと勘違いする、といったミスを防止することができる。また、第１ビーズ３１Ａおよび第２ビーズ３１Ｂは、透明である。したがって、懸濁液３０Ｓにおける便Ｓの懸濁状態を視認する場合に邪魔にならない。
【００４１】
第１ビーズ３１Ａおよび第２ビーズ３１Ｂは、球状である。球状であると、第２隔壁３２等の液収容部２１の内周面との接触面積が小さくなる。このため、保存溶液３０の僅かな揺動で容易に動き、液収容部２１内で滞留しにくい。したがって、第１ビーズ３１Ａによる凹部４０からの便Ｓの掻き出しと、第２ビーズ３１Ｂによる保存溶液３０中への便Ｓの拡散とを、さらに効率化することができる。
【００４２】
検査施設において、採便容器２は、図１とは上下を逆にした状態で、図示しない検査装置にセットされる。そして、図１１Ａに示すように、検査装置内で、面積が大きいほうの側面から液収容部２１が圧縮される。こうして液収容部２１が圧縮されることによって、液収容部２１内の懸濁液３０Ｓがフィルタ２４を通過し、シール３３を破断して、液溜め部２２に溢れ出る。この過程で懸濁液３０Ｓがフィルタ２４でろ過される。
【００４３】
図４の表４５で示したように、第１ビーズ３１Ａおよび第２ビーズ３１Ｂは、保存溶液３０よりも比重が大きく、保存溶液３０中に沈む。このため、第１ビーズ３１Ａおよび第２ビーズ３１Ｂが混入されていない場合と比べて、保存溶液３０、つまりは懸濁液３０Ｓの液面が高くなり、図１１Ａに示す状態においてフィルタ２４に近付く。したがって、比較的小さい圧縮力により、懸濁液３０Ｓをフィルタ２４でろ過することができる。また、保存溶液３０の液面が高くなることによって、輸送中に捕捉部１７が保存溶液３０に浸かる機会が増えるので、凹部４０に捕捉された便が、時間が経つにつれて難溶便化することを防ぐこともできる。
【００４４】
保存溶液３０は１ｍｌ当たり２円程度である。このため、保存溶液３０の液面を高める目的で保存溶液３０の量を増やすと、コストアップは避けられない。また、保存溶液３０の量を増やすと、その分、懸濁液３０Ｓ中の便Ｓの濃度が薄まるので、便潜血検査における陽性、陰性の判定の精度を上げるか、あるいは採取する便Ｓの量を増やす必要がある。対して本実施形態では、第１ビーズ３１Ａおよび第２ビーズ３１Ｂにより、保存溶液３０の量を増やすことなく、保存溶液３０の液面を高めることができるため、優位性が高い。
【００４５】
第１ビーズ３１Ａおよび第２ビーズ３１Ｂは、便潜血検査においては、正しい検査結果を得るための妨げとなる不純物である。しかし、図１１Ａに示す状態においては、第１ビーズ３１Ａおよび第２ビーズ３１Ｂは、第１隔壁２７の方に沈んでおり、フィルタ２４からは遠ざかっている。したがって、第１ビーズ３１Ａおよび第２ビーズ３１Ｂがフィルタ２４で捕集されて、第１ビーズ３１Ａおよび第２ビーズ３１Ｂによりフィルタ２４が目詰まりを起こし、フィルタ２４で懸濁液３０Ｓをろ過できなくなってしまう、という事態を確実に防ぐことができる。また、第１ビーズ３１Ａおよび第２ビーズ３１Ｂがフィルタ２４を通過して、液溜め部２２内の懸濁液３０Ｓに混入してしまう、という事態も確実に防ぐことができる。
【００４６】
フィルタ２４による懸濁液３０Ｓのろ過後、検査装置内において、図１１Ｂに示すように、ノズル６０の先端でシール３５が破断されて、液溜め部２２にノズル６０が導入される。そして、ノズル６０により、液溜め部２２内の懸濁液３０Ｓが便潜血検査のために吸引される。
【００４７】
［第２実施形態］
図１２および図１３に示す第２実施形態では、比重が異なる２種類の第１ビーズを用いる。なお、以下では、第１実施形態と同じ構成については同じ符号を付して説明を省略する。
【００４８】
図１２において、第２実施形態の採便容器７０は、基本的な構成は第１実施形態の採便容器２と同じであるが、保存溶液３０に混入される第１ビーズが、第１ビーズ７１Ａ＿１と第１ビーズ７１Ａ＿２の２種類である点が異なる。
【００４９】
図１３の表７５に示すように、保存溶液３０の比重を１とした場合の第１ビーズ７１Ａ＿１の比重は１．３８、第１ビーズ７１Ａ＿２の比重は１．１９である。すなわち、第１ビーズ７１Ａ＿１、７１Ａ＿２は、比重が異なる少なくとも２種類の第１ビーズの具体例である。第１ビーズ７１Ａ＿１は、第１実施形態の第１ビーズ３１Ａと同じくＰＥＴで形成される。対して第１ビーズ７１Ａ＿２は、アクリル樹脂で形成される。
【００５０】
このように、第２実施形態では、比重が異なる２種類の第１ビーズ７１Ａ＿１、７１Ａ＿２を用いる。これら第１ビーズ７１Ａ＿１、７１Ａ＿２は比重が異なるので、保存溶液３０中における移動速度（挙動）が異なる。このため、異なる速度やタイミングで凹部４０の便Ｓに衝突する。したがって、より効率的に凹部４０から便Ｓを掻き出すことができる。なお、比重が異なる第１ビーズは２種類以上であってもよい。
【００５１】
［第３実施形態］
図１４および図１５に示す第３実施形態では、第１ビーズおよび第２ビーズを、ノズルの内径よりも大きいサイズとする。
【００５２】
図１４において、第３実施形態の採便容器８０は、フィルタ２４、およびフィルタ２４に関連する通路２３、液溜め部２２、第２隔壁３２がない点で、第１実施形態の採便容器２と異なる。このため採便容器８０の容器本体８１は、第１実施形態の液収容部２１と液溜め部２２とを合わせた大きさの液収容部８２を有している。この場合、図１５に示すように、液収容部８２の懸濁液３０Ｓは、検査装置内においてノズル９０で吸引された後、検査装置内に設けられた図示しないフィルタでろ過される。
【００５３】
図１５に示すように、第１ビーズ３１Ａの粒径ΦＡおよび第２ビーズ３１Ｂの粒径ΦＢは、ノズル９０の内径ΦＮＺよりも大きいことが好ましい。すなわち、第１ビーズ３１Ａおよび第２ビーズ３１Ｂは、ノズル９０の内径ΦＮＺよりも大きいサイズであることが好ましい。なお、図１５では、第１ビーズ３１Ａおよび第２ビーズ３１Ｂとノズル９０との大小関係を分かりやすくするため、第１ビーズ３１Ａおよび第２ビーズ３１Ｂを実際よりも大きく描いている。
【００５４】
このように、第３実施形態では、第１ビーズ３１Ａおよび第２ビーズ３１Ｂを、ノズル９０の内径ΦＮＺよりも大きくする。したがって、第１ビーズ３１Ａおよび第２ビーズ３１Ｂでノズル９０が目詰まりを起こし、ノズル９０で懸濁液３０Ｓを吸引できなくなってしまう、という事態が防がれる。
【００５５】
［第４実施形態］
図１６および図１７に示す第４実施形態では、突状部が線状のブラシで構成される採便棒を用いる。
【００５６】
図１６において、第４実施形態の採便棒１００は、基本的な構成は第１実施形態の採便棒１０と同じであるが、捕捉部１０１が異なる。具体的には図１７に示すように、捕捉部１０１は、複数の突状部に相当する複数の円環状ブラシ部１０５を有し、隣り合う円環状ブラシ部１０５の間に凹部１０６が形成された構成である。円環状ブラシ部１０５は、複数の線状のブラシ１０７を、円環状に等間隔で並べたものである。隣り合う円環状ブラシ部１０５同士の幅、すなわち各凹部１０６の幅は、同幅である。
【００５７】
この場合も第１実施形態と同じく、第１ビーズ３１Ａの粒径ΦＡは、凹部１０６の幅ＷＣＣ＿２以下である。すなわち、第１ビーズ３１Ａは、凹部１０６に入るサイズである。一方、第２ビーズ３１Ｂの粒径ΦＢは、凹部１０６の幅ＷＣＣ＿２よりも大きい。すなわち、第２ビーズ３１Ｂは、凹部１０６よりも大きいサイズである。これにより、第１実施形態と同じく、第１ビーズ３１Ａによって凹部１０６から便Ｓが効率的に掻き出され、かつ第２ビーズ３１Ｂによって便Ｓが保存溶液３０中に効率的に拡散される、という効果が得られる。なお、第１ビーズ３１Ａを、隣り合うブラシ１０７同士の間に入るサイズとしてもよい。
【００５８】
第１ビーズによる凹部からの便Ｓの掻き出しと、第２ビーズによる便Ｓの保存溶液３０中への拡散とをより効率的にするため、「採便後に採便容器をよく振ってください。」といった注意書きを、採便容器の外面に記載してもよい。こうすれば、被検者によって強制的に保存溶液３０が揺動させられ、より効率的に凹部から便Ｓを掻き出すことができ、かつより効率的に保存溶液３０中に便Ｓを拡散させることができる。
【００５９】
本開示の技術は、上述の種々の実施形態および種々の変形例を適宜組み合わせることも可能である。また、上記各実施形態に限らず、要旨を逸脱しない限り種々の構成を採用し得ることはもちろんである。例えば、第１ビーズおよび第２ビーズは、球に複数の突起がついた形状でもよい。
【符号の説明】
【００６０】
２、７０、８０  採便容器
１０、１００  採便棒
１１、８１  容器本体
１５  キャップ
１６  棒本体
１７、１０１  捕捉部
２０  挿通部
２１、８２  液収容部
２２  液溜め部
２３  通路
２３Ａ  通路の内周面
２４  フィルタ
２４Ａ  フィルタの外周面
２５  栓部
２６  挿通穴
２７  第１隔壁
２８  擦り切り部
３０  保存溶液
３０Ｓ  懸濁液
３１Ａ、７１Ａ＿１、７１Ａ＿２  第１ビーズ
３１Ｂ  第２ビーズ
３２  第２隔壁
３３、３５  シール
３４  開口
４０、１０６  凹部
４１  凸部（突状部）
４５、４８、７５  表
５０  最大捕集粒子
５１  隙間
６０、９０  ノズル
１０５  円環状ブラシ部（突状部）
１０７  ブラシ
ΦＡ  第１ビーズの粒径
ΦＢ  第２ビーズの粒径
ΦＭＬ  最大捕集粒子の粒径
ΦＮＺ  ノズルの内径
ＷＣＣ＿１、ＷＣＣ＿２  凹部の幅
ＷＧ  隙間の幅
Ｓ  便
【図１】
2020051866.tif 000003
【図２】
2020051866.tif 000004
【図３】
2020051866.tif 000005
【図４】
2020051866.tif 000006
【図５】
2020051866.tif 000007
【図６】
2020051866.tif 000008
【図７】
2020051866.tif 000009
【図８】
2020051866.tif 000010
【図９】
2020051866.tif 000011
【図１０】
2020051866.tif 000012
【図１１】
2020051866.tif 000013
【図１２】
2020051866.tif 000014
【図１３】
2020051866.tif 000015
【図１４】
2020051866.tif 000016
【図１５】
2020051866.tif 000017
【図１６】
2020051866.tif 000018
【図１７】
2020051866.tif 000019